(57)【要約】【課題】被搬送物を適切にほぐしつつ搬送することができる電磁式搬送装置、及びそのような電磁式搬送装置を備える組合せ計量装置を提供する。【解決手段】電磁式搬送装置は、被搬送物が供給されるトラフ２０と、トラフを搬送方向に振動させる振動部と、を備える。トラフ２０は、被搬送物が搬送方向に搬送される搬送面３４と、搬送面３４の上方に配置され、被搬送物が投入される投入口３１と、投入口３１と搬送面３４との間に配置され、下方に傾斜した第１傾斜面３６と、第１傾斜面３６と搬送面３４との間に配置され、第１傾斜面３６と逆方向の下方に傾斜した第２傾斜面３７と、を有する。【選択図】図４
2015058996.tif 000002
【特許請求の範囲】
【請求項１】
被搬送物が供給されるトラフと、
前記トラフを搬送方向に振動させる振動部と、を備え、
前記トラフは、
前記被搬送物が前記搬送方向に搬送される搬送面と、
前記搬送面の上方に配置され、前記被搬送物が投入される投入口と、
前記投入口と前記搬送面との間に配置され、下方に傾斜した第１傾斜面と、
前記第１傾斜面と前記搬送面との間に配置され、前記第１傾斜面と逆方向の下方に傾斜した第２傾斜面と、を有する、電磁式搬送装置。
【請求項２】
前記トラフは、
水平方向において前記第１傾斜面と対向する第１対向面と、
水平方向において前記第２傾斜面と対向する第２対向面と、を更に有する、請求項１記載の電磁式搬送装置。
【請求項３】
前記第１傾斜面及び前記第２傾斜面の少なくとも１つには、傾斜面を延長するための延長部材が設けられている、請求項１又は２記載の電磁式搬送装置。
【請求項４】
前記第１傾斜面及び前記第２傾斜面のそれぞれは、前記搬送方向に平行となっている、請求項１〜３のいずれか一項記載の電磁式搬送装置。
【請求項５】
前記搬送方向において、前記第２傾斜面の下流側端部は、前記第１傾斜面の下流側端部よりも下流側に延長されており、
前記搬送方向において、前記搬送面の下流側端部は、前記第２傾斜面の下流側端部よりも下流側に延長されている、請求項４記載の電磁式搬送装置。
【請求項６】
前記被搬送物は、鰹節である、請求項１〜５のいずれか一項記載の電磁式搬送装置。
【請求項７】
請求項１〜６のいずれか一項記載の電磁式搬送装置と、
前記電磁式搬送装置によって搬送された前記被搬送物の収容及び排出を行う複数の計量ホッパと、
複数の前記計量ホッパのそれぞれに収容された前記被搬送物の重量値に基づいて、前記重量値の組合せが所定範囲に収まるように複数の前記計量ホッパを選択し、選択した複数の前記計量ホッパに前記被搬送物を排出させる制御部と、を備える、組合せ計量装置。
【発明の詳細な説明】
【技術分野】
【０００１】
本発明は、電磁式搬送装置及び組合せ計量装置に関する。
【背景技術】
【０００２】
鰹節等の被搬送物は、塊状状態となり易いことから、搬送過程においてほぐすことが必要になる場合がある。例えば、特許文献１記載の分散供給装置においては、フィーダに供給された被搬送物がフォーク状の攪拌部材によってかき混ぜられる。
【先行技術文献】
【特許文献】
【０００３】
【特許文献１】実開平７−３８９２７号公報
【発明の概要】
【発明が解決しようとする課題】
【０００４】
しかしながら、特許文献１記載の分散供給装置では、被搬送物をほぐすにとどまらず、被搬送物に損傷を与えるおそれがある。
【０００５】
そこで、本発明は、被搬送物を適切にほぐしつつ搬送することができる電磁式搬送装置、及びそのような電磁式搬送装置を備える組合せ計量装置を提供することを目的とする。
【課題を解決するための手段】
【０００６】
本発明の電磁式搬送装置は、被搬送物が供給されるトラフと、トラフを搬送方向に振動させる振動部と、を備え、トラフは、被搬送物が搬送方向に搬送される搬送面と、搬送面の上方に配置され、被搬送物が投入される投入口と、投入口と搬送面との間に配置され、下方に傾斜した第１傾斜面と、第１傾斜面と搬送面との間に配置され、第１傾斜面と逆方向の下方に傾斜した第２傾斜面と、を有する。
【０００７】
この電磁式搬送装置では、振動部によって振動させられるトラフ内において、被搬送物が、第１傾斜面から第２傾斜面に、第２傾斜面から搬送面に、と送られるにつれて、適切にほぐされていく。よって、この電磁式搬送装置によれば、被搬送物を適切にほぐしつつ搬送することができる。
【０００８】
本発明の電磁式搬送装置では、トラフは、水平方向において第１傾斜面と対向する第１対向面と、水平方向において第２傾斜面と対向する第２対向面と、を更に有してもよい。この場合、第１対向面及び第２対向面によって被搬送物が第１傾斜面上及び第２傾斜面上を確実に送られることになるので、被搬送物をより適切にほぐすことができる。
【０００９】
本発明の電磁式搬送装置では、第１傾斜面及び第２傾斜面の少なくとも１つには、傾斜面を延長するための延長部材が設けられていてもよい。この場合、延長部材による傾斜面の延長量を調整することで、被搬送物のほぐし度合い及び搬送量を調整することができる。
【００１０】
本発明の電磁式搬送装置では、第１傾斜面及び第２傾斜面のそれぞれは、搬送方向に平行となっていてもよい。この場合、例えば、第１傾斜面及び第２傾斜面のそれぞれを搬送方向に沿って一続きとする等して、トラフの構造を単純化することができる。
【００１１】
本発明の電磁式搬送装置では、搬送方向において、第２傾斜面の下流側端部は、第１傾斜面の下流側端部よりも下流側に延長されており、搬送方向において、搬送面の下流側端部は、第２傾斜面の下流側端部よりも下流側に延長されていてもよい。この場合、被搬送物が、第１傾斜面から第２傾斜面に、第２傾斜面から搬送面に、と送られる際に、搬送方向における下流側にも送られることになるので、被搬送物の搬送効率を向上させることができる。
【００１２】
本発明の電磁式搬送装置では、被搬送物は、鰹節であってもよい。この場合、鰹節を適切にほぐしつつ搬送することができる。
【００１３】
本発明の組合せ計量装置は、上述の電磁式搬送装置と、電磁式搬送装置によって搬送された被搬送物の収容及び排出を行う複数の計量ホッパと、複数の計量ホッパのそれぞれに収容された被搬送物の重量値に基づいて、重量値の組合せが所定範囲に収まるように複数の計量ホッパを選択し、選択した複数の計量ホッパに被搬送物を排出させる制御部と、を備える。
【００１４】
この組合せ計量装置では、被搬送物が適切にほぐされた状態で各計量ホッパに供給させることになるため、各計量ホッパに収容された被搬送物の重量値が均一化される。よって、この組合せ計量装置によれば、重量値の組合せが所定範囲に収まるように複数の計量ホッパを選択する処理を安定して実施することができる。
【発明の効果】
【００１５】
本発明によれば、被搬送物を適切にほぐしつつ搬送することができる電磁式搬送装置、及びそのような電磁式搬送装置を備える組合せ計量装置を提供することが可能となる。
【図面の簡単な説明】
【００１６】
【図１】本発明の一実施形態の組合せ計量装置の構成図である。
【図２】本発明の一実施形態の電磁式搬送装置の側面図である。
【図３】図２の電磁式搬送装置の平面図である。
【図４】図２のIV−IV線に沿っての断面図である。
【図５】本発明の一実施形態の電磁式搬送装置の変形例の縦断面図である。
【発明を実施するための形態】
【００１７】
以下、本発明の好適な実施形態について、図面を参照して詳細に説明する。なお、各図において同一又は相当部分には同一符号を付し、重複する説明を省略する。
【００１８】
図１に示されるように、組合せ計量装置１は、電磁式搬送装置１０と、分散フィーダ２と、複数の放射フィーダ３と、複数のプールホッパ４と、複数の計量ホッパ５と、集合シュート６と、制御部７と、を備えている。組合せ計量装置１は、電磁式搬送装置１０によって連続的に供給される被搬送物（例えば、鰹節、細切り昆布、とろろ昆布等、互いに絡み合って塊状状態となり易い被搬送物）を所定重量ずつ計量して袋詰め装置（図示せず）に供給する装置である。
【００１９】
分散フィーダ２は、傘状部２ａと、駆動源２ｂと、を有している。傘状部２ａは、下方に末広がりの円錐状の外面を有している。駆動源２ｂは、傘状部２ａに、円運動、旋回運動又は螺旋運動等をさせる。これにより、電磁式搬送装置１０から傘状部２ａの上方の頂部に供給された被搬送物は、傘状部２ａの外周縁に向かって分散させられる。
【００２０】
複数の放射フィーダ３は、傘状部２ａの外周縁に沿って放射状に配置されている。各放射フィーダ３は、トレイ３ａと、振動源３ｂと、を有している。トレイ３ａは、内側から外側に延在している。振動源３ｂは、トレイ３ａに振動を与える。これにより、傘状部２ａの外周縁からトレイ３ａの内側端部に供給された被搬送物は、トレイ３ａの外側端部に向かって搬送される。
【００２１】
複数のプールホッパ４は、各放射フィーダ３に対応するように配置されている。複数の計量ホッパ５は、各プールホッパ４に対応するように配置されている。各プールホッパ４は、対応する放射フィーダ３のトレイ３ａの外側端部から供給された被搬送物の収容及び排出を行う。各計量ホッパ５は、対応するプールホッパ４から排出された被搬送物の収容及び排出を行う。制御部７は、各計量ホッパ５に収容された被搬送物の重量値に基づいて、重量値の組合せが所定範囲に収まるように複数の計量ホッパ５を選択し、選択した複数の計量ホッパ５に被搬送物を排出させる。
【００２２】
集合シュート６は、下方に先細りの円錐状の内面を有している。複数の計量ホッパ５は、集合シュート６の外周縁に沿って配置されている。これにより、制御部７によって選択された複数の計量ホッパ５から排出された被搬送物は、集合シュート６の下方の頂部に集合させられ、袋詰め装置（図示せず）に排出される。
【００２３】
図２に示されるように、電磁式搬送装置１０は、外部から被搬送物が供給されるトラフ２０と、トラフ２０を搬送方向Ａに振動させる振動部１１と、を備えている。電磁式搬送装置１０は、外部から供給された被搬送物を搬送方向Ａに沿って搬送し、当該被搬送物を分散フィーダ２に連続的に供給する装置である。以下、搬送方向ＡをＹ軸方向とし、鉛直方向をＺ軸方向とし、Ｙ軸方向及びＺ軸方向に垂直な方向をＸ軸方向とする。また、搬送方向Ａにおける上流側を単に「上流側」といい、搬送方向Ａにおける下流側を単に「下流側」という。
【００２４】
振動部１１は、ベース１２と、電磁コイル１３と、鉄芯１４と、一対の板ばね１５と、支持部材１６と、を有している。ベース１２は、組合せ計量装置１に設けられた台座８に、複数のコイルばね１７を介して取り付けられている。コイルばね１７は、振動部１１によるベース１２の振動が台座８側に伝播するのを抑制するための部材である。支持部材１６は、トラフ２０を支持している。
【００２５】
電磁コイル１３及び鉄芯１４は、搬送方向Ａにおいて対向した状態で、ベース１２と支持部材１６との間に架け渡されている。一対の板ばね１５は、電磁コイル１３及び鉄芯１４を挟んで搬送方向Ａにおいて対向した状態で、ベース１２と支持部材１６との間に架け渡されている。電磁コイル１３及び鉄芯１４は、ベース１２に対する初期位置からトラフ２０をずらすように、周期的に電磁力を発生させる。一対の板ばね１５は、ベース１２に対する初期位置からトラフ２０がずれた際に、トラフ２０を当該初期位置に戻すように支持部材１６に付勢力を作用させる。振動部１１は、電磁コイル１３及び鉄芯１４による電磁力と、一対の板ばね１５による付勢力との相互作用により、トラフ２０を搬送方向Ａに振動させる。
【００２６】
図２、図３及び図４に示されるように、トラフ２０は、上段部２１、中段部２２及び下段部２３を有しており、箱状に形成されている。中段部２２は、上段部２１と対向する対向部分２２ａと、上段部２１よりも下流側に延長された延長部分２２ｂと、を含んでいる。下段部２３は、中段部２２と対向する対向部分２３ａと、中段部２２よりも下流側に延長された延長部分２３ｂと、を含んでいる。
【００２７】
トラフ２０においては、底壁２４、Ｘ軸方向において対向する一対の側壁２５，２６、上流側の側壁２７及び下流側の側壁２８によって、投入口３１、排出口３２及び通路３３が画定されている。底壁２４は、下段部２３において対向部分２３ａから延長部分２３ｂに渡って延在しており、底壁２４の上面は、被搬送物が搬送方向Ａに搬送される搬送面３４となっている。投入口３１は、上段部２１に設けられており、上段部２１において上側に開口している。排出口３２は、下段部２３に設けられており、対向部分２３ａと延長部分２３ｂとの境界において下流側に開口している。通路３３は、上段部２１、中段部２２及び下段部２３に渡って設けられており、投入口３１から対向部分２３ａ内の搬送面３４に至っている。
【００２８】
振動部１１によってトラフ２０が搬送方向Ａに振動させられた状態で、搬送面３４の上方に配置された投入口３１に被搬送物が投入されると、当該被搬送物は、通路３３を通って対向部分２３ａ内の搬送面３４に送られる。搬送面３４に送られた被搬送物は、搬送面３４を搬送方向Ａに搬送され、排出口３２を介して延長部分２３ｂの下流側端部から排出される。なお、下段部２３の延長部分２３ｂは、上側及び下流側に開口しており、排出口３２には、排出口３２の開口度を調整するための調整板３５が設けられている。調整板３５による排出口３２の開口度を調整することで、被搬送物の排出量を調整することができる。
【００２９】
図４に示されるように、側壁２５は、投入口３１から搬送面３４に渡って連接された縦壁部２５ａ、傾斜壁部２５ｂ、傾斜壁部２５ｃ、傾斜壁部２５ｄ及び縦壁部２５ｅによってジグザグ状に形成されている。側壁２６は、投入口３１から搬送面３４に渡って連接された縦壁部２６ａ、傾斜壁部２６ｂ、傾斜壁部２６ｃ及び縦壁部２６ｄによってジグザグ状に形成されている。これにより、側壁２５と側壁２６との間の通路３３は、搬送方向Ａから見た場合に、ジグザグ状となっている。
【００３０】
側壁２５の傾斜壁部２５ｂの内面は、下方に傾斜した第１傾斜面３６となっている。第１傾斜面３６は、投入口３１に投入された被搬送物を受けて搬送面３４側に送るように傾斜している。側壁２６の傾斜壁部２６ｂは、第１傾斜面３６と逆方向の下方に傾斜した第２傾斜面３７となっている。第２傾斜面３７は、第１傾斜面３６から送られた被搬送物を受けて搬送面３４側に送るように傾斜している。側壁２５の傾斜壁部２５ｄは、第１傾斜面３６と同方向（すなわち、第２傾斜面３７と逆方向）の下方に傾斜した第３傾斜面３８となっている。第３傾斜面３８は、第２傾斜面３７から送られた被搬送物を受けて搬送面３４側に送るように傾斜している。
【００３１】
第１傾斜面３６、第２傾斜面３７及び第３傾斜面３８のそれぞれは、搬送方向Ａに平行となっている。第１傾斜面３６は、投入口３１と搬送面３４との間に配置されており、第２傾斜面３７と交差する関係を有している。第２傾斜面３７は、第１傾斜面３６と搬送面３４との間に配置されており、第３傾斜面３８と交差する関係を有している。第３傾斜面３８は、第２傾斜面３７と搬送面３４との間に配置されており、搬送面３４と交差する関係を有している。
【００３２】
側壁２６の縦壁部２６ａの内面は、水平方向において第１傾斜面３６と対向する第１対向面４１となっている。側壁２５の傾斜壁部２５ｃの内面は、水平方向において第２傾斜面３７と対向する第２対向面４２となっている。側壁２６の傾斜壁部２６ｃの内面は、水平方向において第３傾斜面３８と対向する第３対向面４３となっている。
【００３３】
第１傾斜面３６及び第２傾斜面３７のそれぞれには、傾斜面を延長するための延長部材４４が設けられている。延長部材４４は、板状に形成されており、側壁２５の傾斜壁部２５ｂ及び側壁２６の傾斜壁部２６ｂのそれぞれに取り付けられている。
【００３４】
より具体的には、図３及び図４に示されるように、傾斜壁部２５ｂには、Ｙ軸方向に沿って複数の長孔４５が設けられており、延長部材４４には、各長孔４５に対応するように複数の孔４６が設けられている。長孔４５及び孔４６は、第１傾斜面３６において延長部材４４による傾斜面の延長量が所望の量となるように重ね合わされている。この状態で、板材４７に固定された複数のボルト４８が傾斜壁部２５ｂの内側から長孔４５及び孔４６に挿通され、ナット４９が傾斜壁部２５ｂの外側から各ボルト４８に螺合されることで、延長部材４４が傾斜壁部２５ｂに固定されている。
【００３５】
同様に、傾斜壁部２６ｂには、Ｙ軸方向に沿って複数の長孔４５が設けられており、延長部材４４には、各長孔４５に対応するように複数の孔４６が設けられている。長孔４５及び孔４６は、第２傾斜面３７において延長部材４４による傾斜面の延長量が所望の量となるように重ね合わされている。この状態で、板材４７に固定された複数のボルト４８が傾斜壁部２６ｂの内側から長孔４５及び孔４６に挿通され、ナット４９が傾斜壁部２６ｂの外側から各ボルト４８に螺合されることで、延長部材４４が傾斜壁部２６ｂに固定されている。
【００３６】
図３に示されるように、第１傾斜面３６は、上段部２１に設けられており、第２傾斜面３７は、上段部２１から中段部２２に渡って設けられている。第２傾斜面３７の下流側端部３７ａは、第１傾斜面３６の下流側端部３６ａよりも下流側に延長されている。同様に、第２傾斜面３７に設けられた延長部材４４の下流側端部は、第１傾斜面３６に設けられた延長部材４４の下流側端部よりも下流側に延長されている。搬送面３４の下流側端部３４ａは、第２傾斜面３７の下流側端部３７ａよりも下流側に延長されている。
【００３７】
図４に示されるように、第１傾斜面３６に設けられた延長部材４４の先端部が傾斜壁部２５ｃから突出することによって、当該延長部材４４の先端部と傾斜壁部２５ｃとの間に空間が形成されている。これにより、Ｘ軸方向における通路３３の幅は、傾斜壁部２６ｂと傾斜壁部２５ｃとの間（すなわち、第２傾斜面３７と第２対向面４２との間）における当該延長部材４４の先端部の下側で、広げられることになる。同様に、第２傾斜面３７に設けられた延長部材４４の先端部が傾斜壁部２６ｃから突出することによって、当該延長部材４４の先端部と傾斜壁部２６ｃとの間に空間が形成されている。これにより、Ｘ軸方向における通路３３の幅は、傾斜壁部２５ｄと傾斜壁部２６ｃとの間（すなわち、第３傾斜面３８と第３対向面４３との間）における当該延長部材４４の先端部の下側で、広げられることになる。加えて、Ｘ軸方向における通路３３の幅は、傾斜壁部２５ｄと傾斜壁部２６ｃとの間において、搬送面３４に近付くほど広げられている。なお、図４においては、傾斜壁部２６ｂと傾斜壁部２５ｃとが略平行となっているが、Ｘ軸方向における通路３３の幅は、傾斜壁部２６ｂと傾斜壁部２５ｃとの間において、搬送面３４に近付くほど広げられていてもよい。
【００３８】
以上説明したように、電磁式搬送装置１０では、振動部１１によって振動させられるトラフ２０内において、被搬送物が、第１傾斜面３６から第２傾斜面３７に、第２傾斜面３７から第３傾斜面３８に、第３傾斜面３８から搬送面３４に、とカスケードのように送られるにつれて、被搬送物が適切にほぐされていく。よって、電磁式搬送装置１０によれば、被搬送物を適切にほぐしつつ搬送することができる。このような電磁式搬送装置１０は、鰹節のように、互いに絡み合って塊状状態となり易い被搬送物を、均一な量で連続的に供給先（本実施形態では、分散フィーダ２）に供給する場合に極めて有効である。
【００３９】
また、電磁式搬送装置１０では、Ｘ軸方向における通路３３の幅が、傾斜壁部２６ｂと傾斜壁部２５ｃとの間における延長部材４４の先端部の下側で、広げられている。これにより、第１傾斜面３６に設けられた延長部材４４の先端部の部分でほぐされた被搬送物が、当該部分を通過した後に、再び塊状状態となったり詰まったりするのを防止することができる。同様に、Ｘ軸方向における通路３３の幅が、傾斜壁部２５ｄと傾斜壁部２６ｃとの間における延長部材４４の先端部の下側で、広げられている。加えて、Ｘ軸方向における通路３３の幅が、傾斜壁部２５ｄと傾斜壁部２６ｃとの間において、搬送面３４に近付くほど広げられている。これらにより、第２傾斜面３７に設けられた延長部材４４の先端部の部分でほぐされた被搬送物が、当該部分を通過した後に、再び塊状状態となったり詰まったりするのを防止することができる。
【００４０】
また、電磁式搬送装置１０では、トラフ２０が、水平方向において第１傾斜面３６と対向する第１対向面４１と、水平方向において第２傾斜面３７と対向する第２対向面４２と、水平方向において第３傾斜面３８と対向する第３対向面４３と、を更に有している。これにより、第１対向面４１、第２対向面４２及び第３対向面４３によって被搬送物が第１傾斜面３６上、第２傾斜面３７上及び第３傾斜面３８上を確実に送られることになるので、被搬送物をより適切にほぐすことができる。
【００４１】
また、電磁式搬送装置１０では、第１傾斜面３６及び第２傾斜面３７のそれぞれに、傾斜面を延長するための延長部材４４が設けられている。これにより、延長部材４４による傾斜面の延長量を調整することで、被搬送物のほぐし度合い及び搬送量を調整することができる。
【００４２】
また、電磁式搬送装置１０では、第１傾斜面３６、第２傾斜面３７及び第３傾斜面３８のそれぞれが、搬送方向Ａに平行となっている。これにより、第１傾斜面３６、第２傾斜面３７及び第３傾斜面３８のそれぞれを搬送方向Ａに沿って一続きとする等して、トラフ２０の構造を単純化することができる。
【００４３】
また、電磁式搬送装置１０では、第２傾斜面３７の下流側端部３７ａが、第１傾斜面３６の下流側端部３６ａよりも下流側に延長されており、搬送面３４の下流側端部３４ａが、第２傾斜面３７の下流側端部３７ａよりも下流側に延長されている。これにより、被搬送物が、第１傾斜面３６から第２傾斜面３７に、第２傾斜面３７から搬送面３４に、と送られる際に、搬送方向Ａにおける下流側にも送られることになるので、被搬送物の搬送効率を向上させることができる。
【００４４】
また、組合せ計量装置１では、電磁式搬送装置１０によって被搬送物が適切にほぐされた状態で各計量ホッパ５に供給させることになるため、各計量ホッパ５に収容された被搬送物の重量値が均一化される。よって、組合せ計量装置１によれば、重量値の組合せが所定範囲に収まるように複数の計量ホッパ５を選択する処理を安定して実施することができる。
【００４５】
以上、本発明の一実施形態について説明したが、本発明は、上記実施形態に限定されるものではない。例えば、図５に示されるように、第１傾斜面３６、第２傾斜面３７及び第３傾斜面３８は、搬送方向Ａと交差する方向に傾斜していてもよい。また、複数組みの第１傾斜面３６、第２傾斜面３７及び第３傾斜面３８によって、通路３３が複数に分岐されていてもよい。これらの場合にも、被搬送物を適切にほぐしつつ搬送することができる。
【００４６】
また、少なくとも第１傾斜面３６及び第２傾斜面３７がトラフ２０に設けられていれば、被搬送物が、第１傾斜面３６から第２傾斜面３７に、第２傾斜面３７から搬送面３４に、と送られるにつれて、被搬送物が適切にほぐされることになる。その場合、少なくとも第１対向面４１及び第２対向面４２がトラフ２０に設けられていれば、第１対向面４１及び第２対向面４２によって被搬送物が第１傾斜面３６上及び第２傾斜面３７上を確実に送られることになる。また、傾斜面を延長するための延長部材４４は、第１傾斜面３６及び第２傾斜面３７の少なくとも１つに設けられていればよい。
【符号の説明】
【００４７】
１…組合せ計量装置、５…計量ホッパ、７…制御部、１０…電磁式搬送装置、１１…振動部、２０…トラフ、３１…投入口、３４…搬送面、３４ａ…下流側端部、３６…第１傾斜面、３６ａ…下流側端部、３７…第２傾斜面、３７ａ…下流側端部、４１…第１対向面、４２…第２対向面、４４…延長部材、Ａ…搬送方向。
【図１】
2015058996.tif 000003
【図２】
2015058996.tif 000004
【図３】
2015058996.tif 000005
【図４】
2015058996.tif 000006
【図５】
2015058996.tif 000007